(57)【要約】【課題】この発明は、無音状態になった種々の原因を報知して、それぞれの原因に対する対策を施すことを支援し得るデジタル放送受信装置及びデジタル放送受信方法を提供することを目的としている。【解決手段】デジタル放送信号を受信する受信手段１６と、受信されたデジタル放送信号から音声信号を再生する再生手段１７，１８と、再生手段１７，１８から音声信号が出力できない状態となったことを原因別に判別する判別手段２３と、判別結果に基づいて、再生手段１７，１８から音声信号が出力できない状態となった原因毎に異なる警告音を発生する警告音発生手段２１，２２とを備える。【選択図】    図２
2005354505.tif 000002
【特許請求の範囲】
【請求項１】
デジタル放送信号を受信する受信手段と、
前記受信手段で受信されたデジタル放送信号から音声信号を再生する再生手段と、
前記再生手段から音声信号が出力できない状態となったことを原因別に判別する判別手段と、
前記判別手段の判別結果に基づいて、前記再生手段から音声信号が出力できない状態となった原因毎に異なる警告音を発生する警告音発生手段とを具備することを特徴とするデジタル放送受信装置。
【請求項２】
前記警告音発生手段は、
前記再生手段から音声信号が出力できない状態となった原因に対応した警告音を発生させるための音声信号を出力する音声発生部と、
前記音声発生部で発生された音声信号を前記再生手段の出力に混合する混合手段とを具備することを特徴とする請求項１記載のデジタル放送受信装置。
【請求項３】
デジタル放送信号を受信する受信手段と、
前記受信手段で受信されたデジタル放送信号から音声信号を再生する再生手段と、
前記再生手段から音声信号が出力できない状態となったことを原因別に判別する判別手段と、
前記判別手段の判別結果に基づいて、前記再生手段から音声信号が出力できない状態となった原因に無関係に、同じ警告音を発生する警告音発生手段とを具備することを特徴とするデジタル放送受信装置。
【請求項４】
前記警告音発生手段は、
警告音を発生させるための音声信号を出力する音声発生部と、
前記音声発生部で発生された音声信号を前記再生手段の出力に混合する混合手段とを具備することを特徴とする請求項３記載のデジタル放送受信装置。
【請求項５】
前記判別手段は、前記再生手段から音声信号が出力できない状態となった原因として、放送電波が受信できない場合、選局処理中である場合、それ以外の場合のいずれかを判別することを特徴とする請求項１または３記載のデジタル放送受信装置。
【請求項６】
前記判別手段は、前記再生手段から音声信号が出力できない状態となった原因として、放送電波が受信できない場合、非契約チャンネルを選局した場合、現在休止中のチャンネルを選局した場合、視聴制限されているチャンネルを選局した場合、受信装置で対応していないチャンネルを選局した場合、選局処理中である場合のいずれかを判別することを特徴とする請求項１または３記載のデジタル放送受信装置。
【請求項７】
前記判別手段の判別結果に基づいて、前記再生手段から音声信号が出力できない状態となった原因に対応したメッセージを表示する表示手段を具備することを特徴とする請求項１または３記載のデジタル放送受信装置。
【請求項８】
デジタル放送信号を受信する第１の工程と、
受信されたデジタル放送信号から音声信号を再生する第２の工程と、
前記音声信号が出力できない状態となったことを原因別に判別する第３の工程と、
判別結果に基づいて、音声信号が出力できない状態となった原因毎に異なる警告音を発生する第４の工程とを具備することを特徴とするデジタル放送受信方法。
【請求項９】
デジタル放送信号を受信する第１の工程と、
受信されたデジタル放送信号から音声信号を再生する第２の工程と、
音声信号が出力できない状態となったことを原因別に判別する第３の工程と、
判別結果に基づいて、音声信号が出力できない状態となった原因に無関係に、同じ警告音を発生する第４の工程とを具備することを特徴とするデジタル放送受信方法。
【請求項１０】
前記第３の工程の判別結果に基づいて、音声信号が出力できない状態となった原因に対応したメッセージを表示する表示手段を具備することを特徴とする請求項８または９記載のデジタル放送受信方法。
【発明の詳細な説明】
【技術分野】
【０００１】
この発明は、例えば地上波デジタル放送を受信する携帯用の放送受信端末等に使用して好適するデジタル放送受信装置及びデジタル放送受信方法に関する。
【背景技術】
【０００２】
周知のように、近年では、衛星を用いたデジタル放送に加えて、地上波デジタル放送も実用化されている他、衛星を用いた携帯型の放送受信端末のような移動体を主なサービス対象としたモバイル放送も計画されている。また、地上波デジタル放送においても、携帯型の放送受信端末のような移動体を主なサービス対象とした低データレート放送、いわゆる１セグメント放送が計画されている。
【０００３】
ところで、アナログ放送の受信装置では、放送電波を受信することができなくなった場合にノイズ音が出力される。このため、例えば映像表示手段を持たない音声放送専用の受信装置であっても、ユーザは、放送電波を受信することができない状態になったことを、即座に認識することができる。
【０００４】
一方、上記したデジタル放送の受信装置では、放送電波を受信することができなくなってもノイズが発生することは基本的になく、無音状態となる。特許文献１には、受信中に信号が検出されなくなった場合に、無信号であることを、オンスクリーン表示、インジケータ表示、警告音等によってユーザに知らせる受信装置の構成が開示されている。
【０００５】
しかしながら、デジタル放送の受信装置においては、放送電波を受信することができない状態となった場合だけでなく、無音状態を引き起こす原因が種々存在する。このため、ユーザは、無音状態になった場合に、その原因を把握し対策を施すことが非常に困難になっている。
【特許文献１】特開平１０−１０８０９５号公報
【発明の開示】
【発明が解決しようとする課題】
【０００６】
そこで、この発明は上記事情を考慮してなされたもので、無音状態になった種々の原因を報知して、それぞれの原因に対する対策を施すことを支援し得るデジタル放送受信装置及びデジタル放送受信方法を提供することを目的とする。
【課題を解決するための手段】
【０００７】
この発明に係るデジタル放送受信装置は、デジタル放送信号を受信する受信手段と、受信手段で受信されたデジタル放送信号から音声信号を再生する再生手段と、再生手段から音声信号が出力できない状態となったことを原因別に判別する判別手段と、判別手段の判別結果に基づいて、再生手段から音声信号が出力できない状態となった原因毎に異なる警告音を発生する警告音発生手段とを備えるようにしたものである。
【０００８】
また、この発明に係るデジタル放送受信方法は、デジタル放送信号を受信する第１の工程と、受信されたデジタル放送信号から音声信号を再生する第２の工程と、音声信号が出力できない状態となったことを原因別に判別する第３の工程と、判別結果に基づいて、音声信号が出力できない状態となった原因毎に異なる警告音を発生する第４の工程とを備えるようにしたものである。
【発明の効果】
【０００９】
上記した発明によれば、放送の受信中に無音状態になった場合、その原因別に異なる警告音を発生させるようにしたので、ユーザは無音状態になった理由を、例えば画面の表示される警告表示等を見ることなく耳に聞こえる音だけで容易に認識し、それぞれの原因に対する対策を速やかに施すことが可能となる。
【発明を実施するための最良の形態】
【００１０】
以下、この発明の実施の形態について図面を参照して詳細に説明する。図１は、この実施の形態で説明する放送受信装置１１の外観を示している。この放送受信装置１１は、携帯可能な薄型箱状の筐体１２を有している。
【００１１】
そして、この放送受信装置１１の筐体１２には、その一方の平面部１２ａに表示部１３と操作部１４とが設置され、一側面１２ｂにヘッドホン等を接続するための音声出力用のコネクタ１５が設置されている。
【００１２】
図２は、上記放送受信装置１１の信号処理系を示している。すなわち、筐体１２に内蔵されたアンテナ１６によって受信されたデジタル放送信号は、受信処理部１７に供給される。この受信処理部１７は、入力されたデジタル放送信号に対して、選局処理、復調処理及び誤り訂正処理等を施して、ＴＳ（Transport Stream）信号を生成する。
【００１３】
そして、この受信処理部１７から出力されたＴＳ信号は、ＴＳデコード部１８に供給される。このＴＳデコード部１８は、入力されたＴＳ信号にデコード処理を施して映像信号及び音声信号を生成している。
【００１４】
このうち、映像信号は、映像信号処理部１９に供給される。この映像信号処理部１９では、入力された映像信号に、上記表示部１３による表示に対応した形態に変換する処理を施すとともに、所定のグラフィックス信号を重畳する。そして、この映像信号処理部１９から出力された映像信号が、表示制御部２０を介して表示部１３に供給され、映像表示に供される。
【００１５】
また、上記ＴＳデコード部１８で生成された音声信号は、混合部２１により警告音発生部２２から選択的に出力される各種の音声信号と混合された後、前記コネクタ１５から外部のヘッドホン等に出力されて音声再生される。
【００１６】
ここで、この放送受信装置１１は、上記した受信動作を含むその全ての動作を制御部２３によって統括的に制御されている。この制御部２３は、ＣＰＵ（Central Processing Unit）等を内蔵しており、前記操作部１４からの操作情報を受け、その操作内容が反映されるように各部をそれぞれ制御している。
【００１７】
この場合、制御部２３は、メモリ部２４を利用している。すなわち、このメモリ部２４は、主として、制御部２３のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００１８】
また、この放送受信装置１１は、その各部に電力を供給するための電源部２５を備えている。この電源部２５は、電池２５ａの電力に基づいて各部に供給するための電力を生成している。
【００１９】
図３は、上記受信処理部１７の詳細を示している。すなわち、前記アンテナ１６によって受信されたデジタル放送信号は、入力端子１７ａを介してチューナ部１７ｂに供給された後、チューナ部１７ｂで中間周波数に変換後、ＩＱ検波され、ＩＱのベースバンド信号が出力される。
【００２０】
そして、このＩＱのベースバンド信号が、復調部１７ｃに供給されて同期検出処理及び復調処理が施された後、誤り訂正部１７ｄにより誤り訂正処理が施されて誤り訂正後のＴＳ信号が出力され、契約情報判定部１７ｈとデスクランブラ１７ｉとに供給される。
【００２１】
このうち、契約情報判別部１７ｈは、入力されたＴＳ信号から契約情報を検出する。そして、検出された契約情報と、予め設定されている受信契約とが対応しているか否かを判別し、その判別結果を制御部１７ｆに出力し、さらには必要に応じてデスクランブルするための鍵情報をデスクランブラ１７ｉに出力する。
【００２２】
デスクランブラ１７ｉは、前記鍵情報を使って、入力されるＴＳ信号を必要に応じてデスクランブルし、デスクランブル後のＴＳ信号は、出力端子１７ｅを介して前記ＴＳデコード部１８に出力される。
【００２３】
上記制御部１７ｆは、契約情報と受信契約とが対応している旨の判別結果が入力された場合、そのチャンネルの放送を受信可とし、契約情報と受信契約とが対応していない旨の判別結果が入力された場合、そのチャンネルの放送を受信不可とする。
【００２４】
ここで、上記受信処理部１７は、その動作を制御部１７ｆによって制御されている。この制御部１７ｆは、ＣＰＵ（Central Processing Unit）等を内蔵し、制御端子１７ｇを介して前記制御部２３と交信しながら各部を制御している。
【００２５】
図４は、上記した放送受信装置１１において、放送の受信中に無音状態になった場合の動作をまとめたフローチャートを示している。まず、動作が開始（ステップＳ１）され、ステップＳ２で、所定のチャンネルが正常に受信されている通常視聴状態において、制御部２３は、ステップＳ３で、音声信号が出力できない状態になったか否かを判別する。
【００２６】
この音声信号が出力できない状態になったか否かの判別は、放送電波が受信できない状態になったか否か、非契約チャンネルを選局したか否か場合、現在休止中のチャンネルを選局したか否か、視聴制限されているチャンネルを選局したか否か場合、放送受信装置１１で対応していないチャンネルを選局したか否か、の５種類の原因について行なわれる。
【００２７】
このうち、放送電波が受信できないことは、前記復調部１７ｃにおける同期はずれ状態や、誤り訂正部１７ｄにおける誤り訂正不可状態等を制御部１７ｆが認識することによって、制御部２３が検出することができる。
【００２８】
非契約チャンネルを選局したことは、前記契約情報判別部１７ｈの判別結果を制御部１７ｆが認識することによって、制御部２３が検出することができる。現在休止中のチャンネルを選局したことは、制御部２３が、放送される番組情報等に基づいて、選局されたチャンネルが現在休止中であることを検出することができる。
【００２９】
視聴制限されているチャンネルを選局したことは、制御部２３が、受信した放送信号に含まれる視聴制限情報と予めメモリ部２４に設定された視聴制限情報とを比較することにより検出することができる。放送受信装置１１で対応していないチャンネル、例えば放送受信装置１１で対応していない方式で符号化されたチャンネルを選局したことは、制御部２３が検出することができる。
【００３０】
そして、上記ステップＳ３で、放送電波が受信できないことにより、音声信号が出力できない状態になったと判断された場合（ＹＥＳ）、制御部２３は、ステップＳ４で、前記警告音発生部２２から、放送電波を受信できないという原因に対応する警告音Ａを発生させるための音声信号を出力させて、処理を終了（ステップＳ９）する。これにより、ユーザは、ヘッドホンから警告音Ａが再生されることにより、放送電波を受信できないために無音状態になっていることを認識することができる。
【００３１】
また、上記ステップＳ３で、非契約チャンネルを選局したことにより、音声信号が出力できない状態になったと判断された場合（ＹＥＳ）、制御部２３は、ステップＳ５で、前記警告音発生部２２から、非契約チャンネルを選局したという原因に対応する警告音Ｂを発生させるための音声信号を出力させて、処理を終了（ステップＳ９）する。これにより、ユーザは、ヘッドホンから警告音Ｂが再生されることにより、非契約チャンネルを選局したために無音状態になっていることを認識することができる。
【００３２】
また、上記ステップＳ３で、現在休止中のチャンネルを選局したことにより、音声信号が出力できない状態になったと判断された場合（ＹＥＳ）、制御部２３は、ステップＳ６で、前記警告音発生部２２から、現在休止中のチャンネルを選局したという原因に対応する警告音Ｃを発生させるための音声信号を出力させて、処理を終了（ステップＳ９）する。これにより、ユーザは、ヘッドホンから警告音Ｃが再生されることにより、現在休止中のチャンネルを選局したために無音状態になっていることを認識することができる。
【００３３】
また、上記ステップＳ３で、視聴制限されたチャンネルを選局したことにより、音声信号が出力できない状態になったと判断された場合（ＹＥＳ）、制御部２３は、ステップＳ７で、前記警告音発生部２２から、視聴制限されているチャンネルを選局したという原因に対応する警告音Ｄを発生させるための音声信号を出力させて、処理を終了（ステップＳ９）する。これにより、ユーザは、ヘッドホンから警告音Ｄが再生されることにより、視聴制限されているチャンネルを選局したために無音状態になっていることを認識することができる。
【００３４】
また、上記ステップＳ３で、放送受信装置１１で対応していないチャンネルを選局したことにより、音声信号が出力できない状態になったと判断された場合（ＹＥＳ）、制御部２３は、ステップＳ８で、前記警告音発生部２２から、放送受信装置１１で対応していないチャンネルを選局したという原因に対応する警告音Ｅを発生させるための音声信号を出力させて、処理を終了（ステップＳ９）する。これにより、ユーザは、ヘッドホンから警告音Ｅが再生されることにより、放送受信装置１１で対応していないチャンネルを選局したために無音状態になっていることを認識することができる。
【００３５】
ここで、上記警告音Ａ〜Ｅとしては、例えば、１または２〜３の音階の音を時間的な長さを含めて組み合わせた電子音である。例えば、警告音Ａは「ピッ、ピッ」であり、警告音Ｂは「ピー、ピッ」であり、警告音Ｃは「ピー、ピー」であり、警告音Ｄは「ピピピ」であり、警告音Ｅは「ピー」である。
【００３６】
上記した実施の形態によれば、放送の受信中に無音状態になった場合、その原因別に異なる警告音Ａ〜Ｅを発生させるようにしたので、ユーザは無音状態になった理由を容易に認識し、それぞれの原因に対する対策を速やかに施すことが可能となる。
【００３７】
また、無音状態になった原因を音で報知しているため、例えば音声放送専用チャンネルを受信しているような場合、つまり、ユーザが表示部１３を見ていない場合でも、無音状態になった理由を容易に認識することができる。
【００３８】
なお、警告音Ａ〜Ｅを発生させるだけでなく、前記表示部１３に、無音状態になった原因を示すメッセージを表示させることも可能である。この場合、制御部２３は、映像信号処理部１９にメッセージに対応したグラフィックス信号を発生させ、表示部１３に表示させる。例えば、図５に示すように、「非契約チャンネルを選局したため無音状態になっています」のようなメッセージを表示部１３に表示させる。
【００３９】
図６は、上記した実施の形態の変形例を示している。図６において、図４と同一ステップには同一符号を付して説明すると、制御部２３は、ステップＳ３で音声信号が出力できない状態になったと判断された場合（ＹＥＳ）、ステップＳ１０で、原因に無関係に前記警告音発生部２２から同じ警告音Ｆを発生させるための音声信号を出力させて、処理を終了（ステップＳ９）する。
【００４０】
すなわち、図６に示す例では、無音状態になった場合、その原因にかかわらず同一の警告音Ｆを発生させるようにしたので、放送受信装置１１の故障以外の何らかの原因で無音状態になっていることがユーザに報知される。
【００４１】
なお、警告音Ｆを発生させるとともに、図５のように、表示部１３に、無音状態になった原因を示すメッセージを表示させることも可能である。このようにすれば、ユーザが表示部１３を見ていない場合でも、警告音Ｆを聞いたユーザは、表示部１３を見て詳細な原因を認識することができる。
【００４２】
図７は、上記した実施の形態の他の変形例を示している。図７において、図４と同一ステップには同一符号を付して説明すると、ステップＳ３における音声信号が出力できない状態になったか否かの判別の中に、ステップＳ１１に示すように選局処理中であるか否かを含めている。
【００４３】
すなわち、デジタル放送、特に携帯型の放送受信端末向けのデジタル放送では、バースト的に受信信号が途切れても復元可能とするために、インターリーブの期間を長くするのが一般的である。このため、受信端末の選局処理に時間を要し、新たに選局されたチャンネルの映像及び音声が再生されるまでに数秒を要する場合もある。
【００４４】
そして、この選局処理中は無音状態となるため、制御部２３は、ステップＳ１１で、前記警告音発生部２２から、選局処理中という原因に対応する警告音Ｇを発生させるための音声信号を出力させて、処理を終了（ステップＳ９）する。これにより、ユーザは、ヘッドホンから警告音Ｇが再生されることにより、選局処理中であるために無音状態になっていることを認識することができる。
【００４５】
図８は、上記した実施の形態のさらに他の変形例を示している。図８において、図７と同一ステップには同一符号を付して説明すると、制御部２３は、ステップＳ３で選局処理中も含めて音声信号が出力できない状態になったと判断された場合（ＹＥＳ）、ステップＳ１２で、原因に無関係に前記警告音発生部２２から同じ警告音Ｈを発生させるための音声信号を出力させて、処理を終了（ステップＳ９）する。
【００４６】
すなわち、図８に示す例では、選局処理中も含めて無音状態になった場合、その原因にかかわらず同一の警告音Ｈを発生させるようにしたので、放送受信装置１１の故障以外の何らかの原因で無音状態になっていることがユーザに報知される。なお、警告音Ｈを発生させるとともに、図５のように、表示部１３に、無音状態になった原因を示すメッセージを表示させることも可能である。
【００４７】
なお、無音状態になった原因を、放送電波が受信できない場合と、選局処理中である場合と、それ以外の場合との３種類に分類し、それぞれの場合で異なる警報音を発生させるようにすることも可能である。
【００４８】
また、選局処理が完了する直前または直後に、選局した番組のジャンルに応じた音色の音を発生させるようにすれば、表示部１３を見ることなく選局した番組のジャンルを知ることが可能となる。
【００４９】
図９及び図１０は、上記放送受信装置１１の他の例を示している。この放送受信装置１１は、薄型箱状の２つの筐体２６，２７をヒンジ機構２８により回動可能に連結している。この場合、放送受信装置１１は、筐体２６に対して筐体２７を、ヒンジ機構２８によりＹ軸を中心に回動させることにより、図９に示すように互いに重なり合う折り畳み位置と、図１０に示す展開位置とをとることができる。
【００５０】
また、筐体２６には、折り畳み位置で筐体２７と対向する面２６ａに表示部２９が設置されている。さらに、筐体２７には、折り畳み位置で筐体２６と対向する面２７ａに操作部３０が設置されている。なお、筐体２７の一側面２７ｂには、ヘッドホン等を接続するための音声出力用のコネクタ３１も設置されている。
【００５１】
このような折り畳み型の放送受信装置１１に対しても、放送の受信中に無音状態になった場合、その原因別に異なる警告音を発生させることが可能である。
【００５２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５３】
【図１】この発明の実施の形態を示すもので、放送受信装置の外観を説明するために示す斜視図。
【図２】同実施の形態における放送受信装置の信号処理系を説明するために示すブロック構成図。
【図３】同実施の形態における放送受信装置の受信処理部の詳細を説明するために示すブロック構成図。
【図４】同実施の形態における放送受信装置の主要な動作を説明するために示すフローチャート。
【図５】同実施の形態における放送受信装置の主要な動作中の表示画面を説明するために示す図。
【図６】同実施の形態における放送受信装置の主要な動作の変形例を説明するために示すフローチャート。
【図７】同実施の形態における放送受信装置の主要な動作の他の変形例を説明するために示すフローチャート。
【図８】同実施の形態における放送受信装置の主要な動作のさらに他の変形例を説明するために示すフローチャート。
【図９】同実施の形態における放送受信装置を折り畳み可能とした例を説明するために示す斜視図。
【図１０】同実施の形態における折り畳み可能な放送受信装置を展開した状態を説明するために示す斜視図。
【符号の説明】
【００５４】
１１…放送受信装置、１２…筐体、１３…表示部、１４…操作部、１５…コネクタ、１６…アンテナ、１７…受信処理部、１８…ＴＳデコード部、１９…映像信号処理部、２０…表示制御部、２１…混合部、２２…警告音発生部、２３…制御部、２４…メモリ部、２５…電源部、２６，２７…筐体、２８…ヒンジ機構、２９…表示部、３０…操作部、３１…コネクタ。
【図１】
2005354505.tif 000003
【図２】
2005354505.tif 000004
【図３】
2005354505.tif 000005
【図４】
2005354505.tif 000006
【図５】
2005354505.tif 000007
【図６】
2005354505.tif 000008
【図７】
2005354505.tif 000009
【図８】
2005354505.tif 000010
【図９】
2005354505.tif 000011
【図１０】
2005354505.tif 000012